(57)【特許請求の範囲】
【請求項１】
ガスの流通路に設けられ、そのガスの流通を遮断する遮断弁と、
その遮断弁を開閉する開閉手段と、
前記遮断弁の開閉状態を開閉状態信号として出力する開閉状態出力手段と、
を有するガスメータと、
ガス漏れを検知するガス検知手段と、
前記ガス漏れを検知した場合に報知するガス漏れ報知手段と、
前記ガス漏れを検知した場合に前記ガスの流通を遮断するために前記遮断弁を閉状態とするガス漏れ遮断信号を前記ガスメータに出力する遮断信号出力手段と、
前記遮断弁を閉状態から開状態に復帰させる操作と報知状態を変化させるための操作とを共通のオン操作により行うための１個のスイッチと、
前記１個のスイッチがオン操作されると、前記ガス検知手段によるガス漏れ検知状態と前記遮断弁の前記開閉状態信号とに基づいて、前記ガス漏れ検知状態でないガス漏れ監視状態であり前記開閉状態信号のうちの閉状態信号を前記ガスメータから受信している場合には遮断弁開信号を出力し、前記閉状態信号を前記ガスメータから受信していない場合には遮断弁開信号を出力せず、前記ガス漏れ検知状態であれば前記ガス漏れ報知手段による報知状態を変化させる処理手段と、
を有するガス漏れ警報器と、を備え、
前記ガスメータと前記ガス漏れ警報器とを接続する２本の信号線と、
前記ガス漏れ遮断信号と前記遮断弁開信号とを異なった信号として前記２本の信号線によって伝達し、前記ガス漏れ遮断信号及び前記遮断弁開信号と前記開閉状態信号とを、前記２本の信号線を流れる互いに逆向きの電流として、前記ガス漏れ警報器と前記ガスメータとの間で伝達する伝達手段と、
を備えたことを特徴とするガス漏れ警報システム。
【請求項２】
前記ガス漏れ警報器は、前記ガスメータからの前記開閉状態信号を受信し、その状態を報知する開閉状態報知手段を有する請求項１に記載のガス漏れ警報システム。
【請求項３】
前記１個のスイッチがオン操作された場合に、前記ガス漏れ警報器は、前記ガス漏れ検知状態であれば、ガス漏れ報知を一定時間停止させ、ガス漏れ監視状態であれば、前記遮断弁を開状態とする前記遮断弁開信号を出力させる異なった処理を行う請求項１または２に記載のガス漏れ警報システム。
【請求項４】
前記１個のスイッチがオン操作された場合に、前記ガス漏れ警報器は、前記ガス漏れ検知状態であれば、ガス漏れ報知を一定時間停止させ、ガス漏れ監視状態であれば、前記遮断弁が閉状態である遮断弁閉止状態信号を前記ガスメータから受信している場合にのみ前記遮断弁を開状態とする遮断弁開信号を出力させる請求項１または２に記載のガス漏れ警報システム。
【請求項５】
前記ガス漏れ報知手段は、音声出力部及び表示部の少なくとも一方を有し、音声及び表示の少なくとも一方により報知する請求項１ないし４のいずれか１項に記載のガス漏れ警報システム。
【請求項６】
ガスの流通路に設けられ、そのガスの流通を遮断する遮断弁と、
その遮断弁を開閉する開閉手段と、
前記遮断弁の開閉状態を開閉状態信号として出力する開閉状態出力手段と、
を有するガスメータと、
ガス漏れを検知するガス検知手段と、
前記ガス漏れを検知した場合に報知するガス漏れ報知手段と、
前記ガス漏れを検知した場合に前記ガスの流通を遮断するために前記遮断弁を閉状態とするガス漏れ遮断信号を前記ガスメータに出力する遮断信号出力手段と、
前記遮断弁を開状態から閉状態に変化させる操作と報知状態を変化させるための操作とを共通のオン操作により行うための１個のスイッチと、
前記１個のスイッチがオン操作されると、前記ガス検知手段による前記ガス漏れ検知状態と前記遮断弁の前記開閉状態信号とに基づいて、前記ガス漏れ検知状態でないガス漏れ監視状態であれば遮断弁閉信号を出力し、前記ガス漏れ検知状態であれば前記ガス漏れ報知手段による報知状態を変化させる処理手段と、
を有するガス漏れ警報器と、を備え、
前記ガスメータと前記ガス漏れ警報器とを接続する２本の信号線と、
前記ガス漏れ遮断信号と前記遮断弁閉信号とを異なった信号として前記２本の信号線によって伝達し、前記ガス漏れ遮断信号及び前記遮断弁閉信号と前記開閉状態信号とを、前記２本の信号線を流れる互いに逆向きの電流として、前記ガス漏れ警報器と前記ガスメータとの間で伝達する伝達手段と、
を備えたことを特徴とするガス漏れ警報システム。
【発明の詳細な説明】
【技術分野】
【０００１】
本発明は、遮断弁付きガスメータとガス漏れ警報器とを２本の信号線で接続したガス漏れ警報システムに関する。
【背景技術】
【０００２】
遮断弁付きガスメータとガス漏れ警報器とを信号線で接続し、ガス漏れ警報器によってガス漏れを検知して、ガスの流通を遮断するガスメータの遮断弁を閉状態とするガス漏れ警報システムが知られている（特許文献１）。
【０００３】
このようなガス漏れ警報システムにおいては、ガス漏れを検知して、ガスメータの遮断弁が閉状態とされたのち、ガス漏れの状態が安全な状態とされると、遮断弁の復帰（遮断弁を開状態とすること）が行われている。そして、この遮断弁の復帰は、例えば、ガス漏れ警報器に備えられた遮断弁復帰用のスイッチを操作することにより、遮断弁復帰用の信号がガスメータに出力され、遮断弁が開状態とされるものがある。
【０００４】
【特許文献１】実登第２５８８７９５号公報
【発明の開示】
【発明が解決しようとする課題】
【０００５】
しかしながら、ガスメータとガス漏れ警報器とが、ガス漏れ警報遮断と遮断弁開閉とを行うには、復帰スイッチの回路がガス警報器内部の他の電気回路と切り離して設けられ、このため４本の信号線で接続されていた。そこで、ガスメータとガス漏れ警報器とを接続する配線を減らしても、簡単なスイッチ操作により復帰操作を行うことができるガス漏れ警報システムが求められてきた。
【０００６】
本発明の課題は、ガスメータとガス漏れ警報器とを接続する配線を少なくして製造コストを削減し、ガス漏れ警報遮断を行うことができるとともに、簡単なスイッチ操作により復帰操作を行うことができるガス漏れ警報システムを提供することである。
【課題を解決するための手段及び発明の効果】
【０００７】
上記課題を解決するための本発明のガス漏れ警報システムは、
ガスの流通路に設けられ、そのガスの流通を遮断する遮断弁と、
その遮断弁を開閉する開閉手段と、
前記遮断弁の開閉状態を開閉状態信号として出力する開閉状態出力手段と、
を有するガスメータと、
ガス漏れを検知するガス検知手段と、
前記ガス漏れを検知した場合に報知するガス漏れ報知手段と、
前記ガス漏れを検知した場合に前記ガスの流通を遮断するために前記遮断弁を閉状態とするガス漏れ遮断信号を前記ガスメータに出力する遮断信号出力手段と、
前記遮断弁を閉状態から開状態に復帰させる操作と報知状態を変化させるための操作とを共通のオン操作により行うための１個のスイッチと、
前記１個のスイッチがオン操作されると、前記ガス検知手段によるガス漏れ検知状態と前記遮断弁の前記開閉状態信号とに基づいて、前記ガス漏れ検知状態でないガス漏れ監視状態であり前記開閉状態信号のうちの閉状態信号を前記ガスメータから受信している場合には遮断弁開信号を出力し、前記閉状態信号を前記ガスメータから受信していない場合には遮断弁開信号を出力せず、前記ガス漏れ検知状態であれば前記ガス漏れ報知手段による報知状態を変化させる処理手段と、
を有するガス漏れ警報器と、を備え、
前記ガスメータと前記ガス漏れ警報器とを接続する２本の信号線と、
前記ガス漏れ遮断信号と前記遮断弁開信号とを異なった信号として前記２本の信号線によって伝達し、前記ガス漏れ遮断信号及び前記遮断弁開信号と前記開閉状態信号とを、前記２本の信号線を流れる互いに逆向きの電流として、前記ガス漏れ警報器と前記ガスメータとの間で伝達する伝達手段と、
を備えたことを特徴とする。
【０００８】
上記構成によれば、ガスメータとガス漏れ警報器とは、２本の信号線によって接続され、ガスメータは、開閉手段と遮断弁とによってガスの流通を遮断することができ、開閉状態出力手段によって遮断弁の開閉状態をガス漏れ警報器に伝達することができる。ガス漏れ警報器は、ガス漏れを検知した場合には、ガス漏れを報知するとともに、ガス漏れ遮断信号をガスメータに出力することができる。さらに、ガス漏れ警報器は、ガス漏れ検知中であれば、ガス漏れであることを報知するが、操作部が操作されると、ガス漏れ報知状態を変化させる。また、ガス漏れ警報器は、ガス漏れ監視状態中に、操作部が操作されると、遮断弁開信号を出力し、遮断弁を開状態とすることができる。
【０００９】
さらに本発明のガス漏れ警報器は、ガスメータからの開閉状態信号を受信し、その状態を報知する開閉状態報知手段を有する。
上記構成によれば、遮断弁の開閉状態をユーザが把握することができる。
【００１０】
また本発明のガス漏れ警報システムは、
操作部が操作された場合に、ガス漏れ警報器は、ガス漏れ検知状態であれば、ガス漏れ報知を一定時間停止させ、ガス漏れ監視状態であれば、遮断弁を開状態とする遮断弁開信号を出力させる異なった処理を行う。ガス漏れ検知状態であれば、操作部が操作されることにより、ガス漏れ報知を一定時間停止させることができる。
【００１１】
或いは、操作部が操作された場合に、ガス漏れ警報器は、ガス漏れ検知状態であれば、ガス漏れ報知を一定時間停止させ、ガス漏れ監視状態であれば、遮断弁が閉状態である遮断弁閉止状態信号をガスメータから受信している場合にのみ遮断弁を開状態とする遮断弁開信号を出力させる。上記構成によれば、ガスメータの遮断弁が開状態であれば、遮断弁開信号が送信されないため、ガスメータの電池の消耗を防止することができる。
【００１２】
ガス漏れ報知手段は、音声出力部及び表示部の少なくとも一方を有し、音声及び表示の少なくとも一方により報知するようにすることができる。ガス漏れを音声で報知している場合に、操作部が操作された場合には、音声の出力が一定時間停止される。また、ＬＥＤ等の発光によりガス漏れを報知している場合には、操作部が操作された場合には、発光が一定時間停止されたり、発光パターンが変化するように構成することができる。
【００１３】
さらに本発明のガス漏れ警報システムは、
ガスの流通路に設けられ、そのガスの流通を遮断する遮断弁と、
その遮断弁を開閉する開閉手段と、
前記遮断弁の開閉状態を開閉状態信号として出力する開閉状態出力手段と、
を有するガスメータと、
ガス漏れを検知するガス検知手段と、
前記ガス漏れを検知した場合に報知するガス漏れ報知手段と、
前記ガス漏れを検知した場合に前記ガスの流通を遮断するために前記遮断弁を閉状態とするガス漏れ遮断信号を前記ガスメータに出力する遮断信号出力手段と、
前記遮断弁を開状態から閉状態に変化させる操作と報知状態を変化させるための操作とを共通のオン操作により行うための１個のスイッチと、
前記１個のスイッチがオン操作されると、前記ガス検知手段による前記ガス漏れ検知状態と前記遮断弁の前記開閉状態信号とに基づいて、前記ガス漏れ検知状態でないガス漏れ監視状態であれば遮断弁閉信号を出力し、前記ガス漏れ検知状態であれば前記ガス漏れ報知手段による報知状態を変化させる処理手段と、
を有するガス漏れ警報器と、を備え、
前記ガスメータと前記ガス漏れ警報器とを接続する２本の信号線と、
前記ガス漏れ遮断信号と前記遮断弁閉信号とを異なった信号として前記２本の信号線によって伝達し、前記ガス漏れ遮断信号及び前記遮断弁閉信号と前記開閉状態信号とを、前記２本の信号線を流れる互いに逆向きの電流として、前記ガス漏れ警報器と前記ガスメータとの間で伝達する伝達手段と、
を備えたことを特徴とする。
【００１４】
上記構成によれば、ガス漏れ検知中でなければ、操作部が操作されると、遮断弁閉信号が出力されるから、操作部を操作することにより、遮断弁をガスの元栓として利用することができる。
【発明を実施するための最良の形態】
【００１５】
以下、図面を参照しつつ、本発明の実施形態を説明する。
【実施例１】
【００１６】
図１は、本発明のガス漏れ警報器１とガスメータ１１とにより構成されたガス漏れ警報システム１００を示す。ガス漏れ警報器１とガスメータ１１は、２本の信号線２１により接続されている。
【００１７】
ガス漏れ警報器１は、ガスを検知するガス検知部３、ガス漏れ警報を音声やブザーによって報知する警報部８、ガス漏れ警報器１の状態をＬＥＤ等で表示する表示部７、１個のスイッチによって構成される操作部２、フォトカプラ等で構成されガスメータと信号をやり取りする入出力部５、以上の各部からの信号をマイクロコンピュータによって監視制御する制御部４によって構成されている。したがって、ガス検知部３は、ガス検知手段、警報部８、表示部７は、ガス漏れ報知手段、操作部２は、操作手段、制御部４は、遮断信号出力手段、処理手段として機能する。
【００１８】
ガスメータ１１は、ガスの流通を制限する双方遮断弁１４、ガスの流通量（使用量）を計量する計量部１６、ガス漏れ警報器との信号をやり取りする入出力部１３、各部からの信号を監視制御制御する制御部１５によって構成されている。
【００１９】
ガス漏れ警報器１とガスメータ１１とは、２本の信号線２１で接続されている。すなわち、ガス漏れ警報器１の入出力部１３とガスメータ１１の入出力部１３とが信号線２１によって接続されている。ガス漏れ警報器１がガス漏れを検知すると、ガス漏れ警報器１からガスメータ１１に、信号線２１によって、２２の方向に示す電流によってガス漏れ警報遮断信号が伝達され、双方向遮断弁１４によってガスの流通が遮断される。そしてガス漏れ警報遮断信号によって双方向遮断弁１４が閉の状態とされると、ガスメータ１１は、双方向遮断弁１４が閉の状態であることを２３の方向に示す電流方向で、ガス漏れ警報器１に伝達することができる。
【００２０】
図２（ａ）に、図１に示すガス漏れ警報器１の外観図を示す。ガス漏れ警報器１に、操作部２としてのスイッチ、表示部７、警報部８が備えられている。表示部３は、例えばＬＥＤからなる。警報部４からは、ガスを検知した際、警報音などが発せられる。まず電源が投入されると図２（ｂ）に示すように表示部３のＬＥＤが例えば緑に点灯する。また（ｃ）に示すように、ガスを検知した場合には、それまでとは異なる色（例えば、赤）となり、ガス漏れを示す。さらに、ガス漏れ警報器１がガス漏れを検知すると、双方向遮断弁１４によってガスの流通が遮断され、ガスメータ１１から遮断弁閉止状態信号がガス漏れ警報器１に伝達される。遮断弁閉止状態信号により、例えば、ＬＥＤが黄色に点灯するように構成されており、遮断弁が閉の状態であることをユーザが把握することができる。
【００２１】
さらに、操作部２がオンとされると、ガス漏れ警報器１の制御部４は、ガス漏れ警報器１の状態と、ガスメータ１１から送信される双方向遮断弁１４の開・閉を示す開閉状態信号により、異なった動作を行う。具体的には後述するが、操作部２がオンとされた場合に、ガス漏れ検知中であれば、警報音を一時停止し、ガス漏れ中でなければ、遮断弁開信号をガスメータ１１に出力する。
【００２２】
図３を用いて、ガス漏れ警報システム１００の動作を説明する。ガス漏れ警報器１は、ガス漏れの監視を行い、ガス漏れを検知すると、警報部８から警報音を発し、制御部４から遮断弁閉信号を出力するものである。そして、本発明のガス漏れ警報器１は、操作部２が操作されたかを監視し、操作部２が操作されると、ガス漏れ検知中であるか否かによって、異なった動作をする。
【００２３】
ガス漏れ警報器１の制御部４は、操作部２のスイッチがオンであるかを判断し（Ｓ１）、オンでなければ、Ｓ２へ進んで、ガス漏れ監視あるいはガス漏れ検知動作を継続する。つまり、ガス漏れがなければ、ガス漏れを監視する状態を継続し、ガス漏れが検知されれば、それを報知する一般的な動作を行う。具体的には、ガス漏れが検知されると、それを警報音や表示によって報知するとともに、制御部４によって、ガス漏れ警報器１からガスメータ１１に図１の方向２２で、図４に示すガス漏れ遮断信号を出力することにより、ガスメータ１１の双方向遮断弁１４を閉の状態とする。一方ガスメータ１１の制御部１５は、ガス漏れ遮断信号が入力されると、双方向遮断弁１４によってガスの流通を遮断し、双方向遮断弁１４が閉の状態とされると、図４に示す遮断弁閉止状態信号を、ガス漏れ警報器１に図１の方向２３で出力する。
【００２４】
そして、操作部２のスイッチがオンとされたことを、ガス漏れ警報器１の制御部４が検知すると（Ｓ１：Ｙｅｓ）、制御部４は、ガス検知部３によってガス漏れ検知中であるかを判断する（Ｓ３）。ガス漏れ検知中でなければ（Ｓ３：Ｎｏ）、制御部４は、ガスメータ１１に図４に示す遮断弁開信号を出力する（Ｓ４）。つまり、制御部４によってガス漏れ検知中でないと判断された場合には、安全上問題がない状態であるので、スイッチがオンとされたことにより、制御部４によってガスメータ１１の双方向遮断弁１４が開の状態とされる。ガス漏れ警報器１から出力されるガス漏れ遮断信号と、遮断弁開信号とは、異なった信号であるため、ガスメータ１１の制御部１５は、その信号に従った動作を行うことができる。
【００２５】
一方、ガス漏れ警報器１の制御部４が、ガス漏れ検知中であるかを判断して、ガス漏れ検知中であると判断した場合には（Ｓ３：Ｙｅｓ）、制御部４は、警報部８から発生している警報音を一時停止する（Ｓ４）。つまり、制御部４によってガス漏れ検知中であると判断された場合には、スイッチがオンとされたことにより、制御部４によって警報音が停止される。
【００２６】
以上のように、スイッチのオン操作は、ガス漏れ検知中であるかにより、異なった動作をガス漏れ警報システムに生じさせる。すなわち、ガス漏れ検知中であれば、警報音を停止させ、ガス漏れ検知中でなければ、双方向遮断弁１４を開とする。
【００２７】
実施例１の変形例として、ガス漏れ検知中でない場合に（Ｓ３：Ｙｅｓ）、Ｓ４において、制御部４が遮断弁閉信号を出力するように構成することもできる。この場合は、操作部２を操作することによって、双方向遮断弁１４を閉とすることができるため、双方向遮断弁１４をガス管の元栓として代用することができる。
【実施例２】
【００２８】
次に図５に他の実施例を示す。本実施例においては、ガスメータ１１からの遮断閉止状態信号の有無によって、ガス漏れ警報器１が開信号を出力する。
【００２９】
ガス漏れ警報器１の制御部４は、操作部２のスイッチがオンであるかを判断し（Ｓ１）、オンでなければ、Ｓ２へ進んで、ガス漏れ監視あるいはガス漏れ検知動作を継続する。前述の実施例同様に、ガス漏れが検知されると、それを報知するとともに、制御部４によって、ガス漏れ警報器１からガスメータ１１にガス漏れ遮断信号を出力することにより、ガスメータ１１の双方向遮断弁１４を閉の状態とする。一方ガスメータ１１の制御部１５は、ガス漏れ遮断信号が入力されると、双方向遮断弁１４によってガスの流通を遮断し、双方向遮断弁１４が閉の状態とされると、ガス漏れ警報器１に遮断弁閉止信号を出力する。
【００３０】
そして、操作部２のスイッチがオンとされたことを、ガス漏れ警報器１の制御部４が検知すると（Ｓ１：Ｙｅｓ）、制御部４は、ガス検知部３によってガス漏れ検知中であるかを判断する（Ｓ３）。ガス漏れ検知中でなければ（Ｓ３：Ｎｏ）、制御部４は、遮断閉止信号が入力されているかを判断する（Ｓ４）。遮断閉止信号が入力されていなければ（Ｓ４：Ｎｏ）、双方向遮断弁１４が閉の状態とされていないので、Ｓ１へ戻る。遮断閉止信号が入力されていれば（Ｓ４：Ｙｅｓ）、ガスメータに遮断弁開信号を出力する（Ｓ５）。つまり、制御部４によってガス漏れ検知中でないと判断された場合には、安全上問題がない状態であるので、スイッチがオンとされたことにより、制御部４によってガスメータの双方向遮断弁が開の状態とされる。
【００３１】
一方、制御部４が、ガス漏れ検知中であるかを判断して、ガス漏れ検知中であると判断した場合には（Ｓ３：Ｙｅｓ）、制御部４は、発生している警報音を一時停止する（Ｓ６）。
【００３２】
本実施例によれば、ガスメータ１１の双方向遮断弁１４が開の状態であれば、遮断弁開信号が出力されないため、双方向遮断弁１４を何回も駆動させてガスメータ１１に搭載されている電池を消耗することを防止することができる。
【実施例３】
【００３３】
さらに図６に他の実施例を示す。本実施例においては、操作部２が操作されることによって、遮断閉信号が出力または警報音が一時停止された場合に、それぞれの動作を音声、表示によって報知するものである。
【００３４】
ガス漏れ警報器１の制御部４は、操作部２のスイッチがオンであるかを判断し（Ｓ１）、オンでなければ、Ｓ２へ進んで、ガス漏れ監視あるいはガス漏れ検知動作を継続する。
【００３５】
そして、操作部２のスイッチがオンとされたことを、ガス漏れ警報器１の制御部４が検知すると（Ｓ１：Ｙｅｓ）、制御部４は、ガス検知部３によってガス漏れ検知中であるかを判断する（Ｓ３）。ガス漏れ検知中でなければ（Ｓ３：Ｎｏ）、制御部４は、ガスメータ１１に遮断弁開信号を出力する（Ｓ４）。そして、音声によって、例えば、「遮断弁開信号を出力しました」と報知する（Ｓ５）。さらに表示部７のＬＥＤを、例えば、１秒消灯することにより、遮断弁開信号を出力したことを報知する（Ｓ６）。
【００３６】
一方、ガス漏れ警報器１の制御部４が、ガス漏れ検知中であるかを判断して、ガス漏れ検知中であると判断した場合には（Ｓ３：Ｙｅｓ）、制御部４は、警報部８から発生している警報音を一時停止する（Ｓ７）。そして、音声によって、例えば、「警報音を停止します」と報知する（Ｓ８）。さらに表示部７のＬＥＤを、例えば、２秒消灯することにより、警報音を停止したことを報知する（Ｓ９）。
【００３７】
１つのスイッチ操作により異なる動作を行う構成であると、どのような動作がなされたか分かりにくいが、本実施例では、音声や表示によって動作を報知するため、ユーザがどのような動作が行われたかを把握することができる。
【実施例４】
【００３８】
図７に他の実施例を示す。本実施例においては、ガスメータ１１からの遮断閉止状態信号の有無によって、ガス漏れ警報器１が遮断弁開信号を出力し、遮断閉信号が出力または警報音が一時停止された場合に、それぞれの動作を音声、表示によって報知するものである。
【００３９】
ガス漏れ警報器１の制御部４は、操作部２のスイッチがオンであるかを判断し（Ｓ１）、オンでなければ、Ｓ２へ進んで、ガス漏れ監視あるいはガス漏れ検知動作を継続する。
【００４０】
そして、操作部２のスイッチがオンとされたことを、ガス漏れ警報器１の制御部４が検知すると（Ｓ１：Ｙｅｓ）、制御部４は、ガス検知部３によってガス漏れ検知中であるかを判断する（Ｓ３）。ガス漏れ検知中でなければ（Ｓ３：Ｎｏ）、制御部４は、遮断閉止信号が入力されているかを判断する（Ｓ４）。遮断閉止信号が入力されていなければ（Ｓ４：Ｎｏ）、双方向遮断弁１４が閉の状態とされていないので、Ｓ１へ戻る。遮断閉止信号が入力されていれば（Ｓ４：Ｙｅｓ）、ガスメータ１１に遮断弁開信号を出力する（Ｓ５）。そして、音声によって、例えば、「遮断弁開信号を出力しました」と報知する（Ｓ６）。さらに表示部７のＬＥＤを、例えば、１秒消灯することにより、遮断弁開信号を出力したことを報知する（Ｓ７）。
【００４１】
一方、ガス漏れ警報器１の制御部４が、ガス漏れ検知中であるかを判断して、ガス漏れ検知中であると判断した場合には（Ｓ３：Ｙｅｓ）、制御部４は、警報部８から発生している警報音を一時停止する（Ｓ８）。そして、音声によって、例えば、「警報音を停止します」と報知する（Ｓ９）。さらに表示部７のＬＥＤを、例えば、２秒消灯することにより、警報音を停止したことを報知する（Ｓ１０）。
【００４２】
実施例２〜４においても、実施例１と同様に変形例として、ガス漏れ検知中でない場合に、制御部４が遮断弁閉信号を出力するように構成することもできる。この場合は、操作部２を操作することによって、双方向遮断弁１４を閉とすることができるため、双方向遮断弁１４をガス管の元栓として代用することができる。
【００４３】
上記のようなガスメータ１１とガス漏れ警報器１とが、２本の信号線２によって接続された連動システムとして構成され、ガスメータ１１の状態とガス漏れ警報器１の状態を判断することにより、ガス漏れ警報器１に設けられた１個のスイッチ操作によって、異なる動作をさせることができる。つまり、複数のスイッチを設ける必要がなく、従来、このようなシステムにおいて、４本の信号線を必要としてきたが、本発明により２本の信号線によって行うことができる。このように部品数を減らすことにより、製造コストを削減することができる。
【図面の簡単な説明】
【００４４】
【図１】本発明のガス漏れ警報システムを示すブロック図。
【図２】ガス漏れ警報器の外観の実施例を示す図。
【図３】ガス漏れ警報システムの動作の実施例１を説明するフローチャート。
【図４】ガス漏れ警報器とガスメータとの間で伝達される信号を説明する図。
【図５】ガス漏れ警報システムの動作の実施例２を説明するフローチャート。
【図６】ガス漏れ警報システムの動作の実施例３を説明するフローチャート。
【図７】ガス漏れ警報システムの動作の実施例４を説明するフローチャート。
【符号の説明】
【００４５】
１    ガス漏れ警報器
２    操作部（スイッチ）
４    制御部
７    表示部
８    警報部
１１    ガスメータ
１４    双方向遮断弁
１５    制御部
１００  ガス漏れ警報システム
【図１】
0004479966.tif 000002
【図２】
0004479966.tif 000003
【図３】
0004479966.tif 000004
【図４】
0004479966.tif 000005
【図５】
0004479966.tif 000006
【図６】
0004479966.tif 000007
【図７】
0004479966.tif 000008